(57)【要約】【課題】小型軽量で持ち運びができ、容易にドアに取り付けることができ、部屋の外からドアの施錠と解錠を独自にできるドアロック装置を提供する。【解決手段】ドアガードが装備されたドアにおいて、無線送信回路または赤外線送信回路を内蔵した携帯式の電子キーと、ロックボルトとロックボルト駆動部と前記無線送信回路または赤外線送信回路からの信号を受ける受信回路を有する制御部とを有する電子錠が備えられ、前後方向と左右方向の２つの取り付け位置調整手段を有する固定金具が、ドアの内側に設けられた前記ドアガードまたはドアの内側のドアガード取り付けネジ孔にネジ着されるとともに、電子キーから施錠または解錠指示が出されると、制御部が前記ロックボルト駆動部にロックボルトの突出または復帰動作を行なわせるように構成した。【選択図】図２
2006241856.tif 000002
【特許請求の範囲】
【請求項１】
ドアガードが装備されたドアにおいて、
無線送信回路または赤外線送信回路を内蔵した携帯式の電子キーと、
ロックボルトとロックボルト駆動部と前記無線送信回路または赤外線送信回路からの信号を受ける受信回路を有する制御部とを有する電子錠とが備えられ、
前記電子錠を固定し、前後方向と左右方向の２つの取り付け位置調整手段を有する固定金具が、ドアの内側に設けられた前記ドアガードまたはドアの内側のドアガード取り付けネジ孔にネジ着されるとともに、
前記電子キーから施錠または解錠指示が出されると、前記制御部が前記ロックボルト駆動部に前記ロックボルトの突出または復帰動作を行なわせるように構成したことを特徴とするドアロック装置。
【請求項２】
前記ロックボルトに当接する停止金具が、ドア受けの内側の前記ドアガードまたは前記ドア受けのドアガードネジ孔に取り付けられることを特徴とする請求項１に記載のドアロック装置。
【請求項３】
前記前後方向の取り付け位置調整手段は、前記固定金具に設けられ一側面が開口した箱形の外金具に前記電子錠を差し込みスライドさせる位置によって調整されることを特徴とする請求項１に記載のドアロック装置。
【請求項４】
前記左右方向の取り付け位置調整手段は、前記ドアガードの係合アームが前記固定金具の貫通孔に挿入されるとともに、前記固定金具の上下端から出されたロングボルトが、前記係合アーム先端に固定されたアームエンドにナット締めされる位置によって調整されることを特徴とする請求項１に記載のドアロック装置。
【請求項５】
前記左右方向の取り付け位置調整手段は、前記固定金具を内金具と中金具と外金具で構成し、前記外金具の突起を前記中金具の側面に設けられる複数の連なった通孔のどこにはめ込むかで調整されることを特徴とする請求項１に記載のドアロック装置。
【請求項６】
係合アームと係合突起からなるドアガードが取り付けられたドアにおいて、
無線送信回路または赤外線送信回路を内蔵した携帯式の電子キーと、
外側面にマグネットまたは粘着力のあるゴムマットまたは両面接合テープが装着され、受信回路を有する制御部と前記係合アームをつかむグリッパと前記グリッパを回動させる柄と前記柄を回動させるグリッパ駆動部とで構成される電子錠とが備えられ、
前記電子キーから前記電子錠へ施錠または解錠の指示が出されると、前記制御部が、前記グリッパ駆動部に回動動作を行なわせて、前記係合アームを前記係合突起に掛けるまたは外すようにしたことを特徴とするドアロック装置。
【請求項７】
前記グリッパは、前記柄の一端に設けられる回動接点を介して取り付けられるとともに、内側にローラを有することを特徴とする請求項５に記載のドアロック装置。
【発明の詳細な説明】
【技術分野】
【０００１】
本発明は、ドアロック装置に係り、より詳細には、持ち運びが可能で、工事なしでドアなどに容易に取り付けることができる電子錠と、携帯式の電子キーから構成され、電子キーから電子錠の施錠または解錠を指示することにより、ドアに、ドア本来のロック機構とは別のロック機構を装着することのできるドアロック装置に関する。
【背景技術】
【０００２】
例えば、住宅用のドアの自動開閉システムとして、携帯用の電子キーを使用した自動開閉システムが提案されている。このようなシステムは、ドアの内側に制御部が設けられ、電子キーからの指示で電動のサムターンを動かして解錠を行い、また、ソレノイドによってロックボルトを開き、さらには、ドア開閉機構部を駆動してドアを開くことによって、ハンドフリーでドアを通過できるように利便性を向上させている。（特許文献１参照）
【０００３】
一般に、ドアにはドアガードが取り付けられる。ドアガードには、例えば、係合アームと係合突起で構成されるタイプのものや、チェーンをドアのチェーン掛け金具に掛けるタイプのものがある。ドアガードは部屋の内側から手動で操作して、ドアガードが掛けられた状態では、ドアのロックを外しても、ドアを半開き状態とし、それ以上は開かないようにするものである。ドアガードはドアの主ロック機構や、サムターンによる補助ロック機構とは別の機構で、部屋の外からは操作することはできない。（特許文献２参照）
【０００４】
最初から設けられたロック機構とは別に、ドアにロック機構を設けようとすると、一般には、ドアの内側に工事をして組み込むしかない。しかし、ドアの工事をせず、自分で簡単に取り付けでき、２重のロック機構を設けたいという要望がある。また、例えば、宿泊先のホテルの部屋において、ドアに設けられたロック機構とは別に、自分専用のドアロックを掛けたいといった要望もある。
【特許文献１】特開２００３−７４２５６号公報
【特許文献２】特開２００３−５６２３８号公報
【発明の開示】
【発明が解決しようとする課題】
【０００５】
本発明は、上記のような要望に鑑みて創出されたもので、本発明の目的は小型軽量で、持ち運びができ、容易にドアに取り付けることができ、遠隔からの指示により、本来のドアロック機構とは別に、ドアの施錠解錠ができるドアロック装置を提供することにある。
【課題を解決するための手段】
【０００６】
本発明によるドアロック装置は、ドアガードが装備されたドアにおいて、無線送信回路または赤外線送信回路を内蔵した携帯式の電子キーと、ロックボルトとロックボルト駆動部と前記無線送信回路または赤外線送信回路からの信号を受ける受信回路を有する制御部とを有する電子錠が備えられ、前記電子錠を固定し、前後方向と左右方向の２つの取り付け位置調整手段を有する固定金具が、ドアの内側に設けられた前記ドアガードまたはドアの内側のドアガード取り付けネジ孔にネジ着されるとともに、前記電子キーから施錠または解錠指示が出されると、前記制御部が前記ロックボルト駆動部に前記ロックボルトの突出または復帰動作を行なわせるように構成したことを特徴とする。
【０００７】
前記ロックボルトを当接させる停止金具が、ドア受けの内側の前記ドアガードまたはドア受けのドアガード取り付けネジ孔に取り付けられることが好ましい。
【０００８】
前記前後方向の取り付け位置調整手段は、前記固定金具に設けられ一側面が開口した箱形の外金具に前記電子錠を差し込みスライドさせる位置によって調整されることが好ましい。
【０００９】
前記左右方向の取り付け位置調整手段は、前記ドアガードの係合アームが前記固定金具の貫通孔に挿入されるとともに、前記固定金具の上下端から出されたロングボルトが、前記係合アーム先端に固定されたアームエンドにナット締めされる位置によって調整されることが好ましい。
【００１０】
前記左右方向の取り付け位置調整手段は、前記固定金具を内金具と中金具と外金具で構成し、前記外金具の突起を前記中金具の側面に設けられる複数の連なった通孔のどこにはめ込むかで調整されることが好ましい。
【００１１】
本発明による他のドアロック装置は、係合アームと係合突起からなるドアガードが取り付けられたドアにおいて、無線送信回路または赤外線送信回路を内蔵した携帯式の電子キーと、外側面にマグネットまたは粘着力のあるゴムマットまたは両面接合テープが装着され、受信回路を有する制御部と前記係合アームをつかむグリッパと前記グリッパを回動させる柄と前記柄を回動させるグリッパ駆動部とで構成される電子錠とが備えられ、前記電子キーから前記電子錠へ施錠または解錠の指示が出されると、前記制御部が、前記グリッパ駆動部に回動動作を行なわせて、前記係合アームを前記係合突起に掛けるまたは外すようにしたことを特徴とする。
【００１２】
前記グリッパは、前記柄の一端に設けられる回動接点を介して取り付けられるとともに、内側にローラを有することが好ましい。
【発明の効果】
【００１３】
本発明による請求項１のドアロック装置によれば、電子錠の取り付けは、固定金具によって、既存のドアガードもしくは既存のドアガードを外して、ドアのドアガード取り付けネジ孔にネジ着されるものであるから工事が必要ない。取り付けに際して、前後左右の位置調整ができるから、ロックボルトをドアガードの係合突起やドア受けに当接するように調節できる。部屋の外から電子キーを操作して、電子錠に設けられたロックボルトによって施錠または解錠を行なうから、これを施錠状態にしておくとドアの本来のロック機構が破られても第３者の部屋への侵入が防止できる。また、持ち運びが可能であるから、旅行先でのホテルなどのドアに２重の施錠を行なうこともできる。
【００１４】
請求項２によれば、ロックボルトを当接させる停止金具が、ドア受けの内側のドアガードまたはドア受けのドアガード取り付けネジ孔に取り付けられるから、内開きドアにも対応できる。
【００１５】
請求項３によれば、固定金具にスライド機構を設けたので、電子錠の取り付け位置を前後方向に調整可能である。
【００１６】
請求項４によれば、ロングボルトとナットを設けたので、電子錠の取り付け位置を左右方向に調整可能である。この構造は外開きドアの場合に有効で、電子錠の左右方向の位置を調整することによって、ロックボルトをドアガードの係合突起に当接させるように調整できる。
【００１７】
請求項５によれば、複数の連なった通孔によって、電子錠の取り付け位置を左右方向に調整可能である。左右方向の調整は、電子錠のロックボルトをドアガードの係合突起、ドア受け、停止金具に当接させる場合に使用できる。
【００１８】
本発明による請求項６のドアロック装置によれば、電子錠はマグネットまたは粘着力のあるゴムマットまたは両面接合テープで簡単にドアの内側やドア受けの内側に取り付けできる。前後左右の位置調整も自在である。部屋の外から電子キーを操作して、外開きドアまたは内開きドアに設けられたドアガードの係合アームを回動させて係合突起に掛けるあるいは外すようにしたから、ドアの本来のロック機構が破られても、第３者の部屋への侵入が防止できる。また持ち運びが可能であるから、旅行先でのホテルなどのドアに２重の施錠を行なうこともできる。
【００１９】
請求項７によれば、グリッパは、回動接点に連結されるから、電子錠の取り付け位置が係合アームの軸の真下に限定されず、係合アームの回動がスムーズに行なえる。また、グリッパの内側には、ローラが設けられるので、係合アームが係合突起に掛けられた状態でドアが半開きにされるような場合、グリッパが係合アームの側面をスムーズに移動できる。
【発明を実施するための最良の形態】
【００２０】
以下、本発明の好ましい実施例を、図面を参照して詳細に説明する。
【００２１】
本発明によるドアロック機構は、ドアにドアガードが装着されているものとして説明する。ただし、本ドアロック機構は、ドアガードが装着されていなくても、両面接合テープなどで取り付けできる。また、ネジで取り付けてもよい。なお、ドアガードとは、部屋の内側から操作してドアが解錠されていても、ドアを半開きにしかしない機構で、例えば、図１８に示すような係合アーム８と係合突起９からなるタイプや、チェーンタイプ（図は省略）などが知られる。
【００２２】
図１９は、内開きドアにドアガードが取り付けられた場合の平面図である。係合アーム８はドア受け６１に取りけられる。係合突起９はドア６０の内側に取り付けられる。係合アームを図面右側に倒すと、係合突起９の先端が係合アーム８と係合する。その状態でドア６０が開かれると、係合突起９は係合アームの先端にスライドされ停止する。そのためドア６０は少ししか開かない。
【００２３】
図２０は、外開きドアにドアガードが取り付けられた場合の平面図である。係合アーム８はドア６０の内側に取りけられる。係合突起９はドア受け６１に取り付けられる。係合アームを図面下側に倒すと、係合突起９の先端が係合アーム８と係合する。その状態でドア６０が開かれると、係合突起９は係合アーム８の先端にスライドされ停止する。そのためドア６０は少ししか開かない。
【実施例１】
【００２４】
図１は、本発明による第１の実施例で、ドアロック装置の構成図である。図１に示すように、ドアロック装置１００は、無線送信回路または赤外線送信回路を有し操作ボタンのある電子キー１と、電子錠２と、電子錠２をドア内側に固定する固定金具３と、停止金具５からなる。電子錠２には、アンテナ１２と受信回路１１のある制御部１０と、ソレノイドまたはモータ２１で動くロックボルト２２からなる駆動部２０と、バッテリー４を含む。ロックボルト２２は、施錠され突出状態でドアが開かれると、停止金具５に当接されるように構成される。電子錠２は、このように無線または赤外線による遠隔操作を可能としている。なお、赤外線を使用した場合、ドアの外側から電子錠２の操作を可能とするため、受信回路１１は、電子錠２から離してドアの隙間などから表側に出すように構成される。
【００２５】
図２は、外開きドアに取り付けられる場合のドアロック装置１００の斜視図である。ドアロック装置１００の左右の幅は、約８０ｍｍ程度であり、小型で持ち運び可能である。固定金具３は、箱型で、左右の両側面に角形の貫通孔４０が設けられ、ここに係合アームが貫通するように差し込まれる。さらに、２本のロングボルト３１がボルト用の孔に挿入され、図２右側の、３つのナット３３のうち、左端のナット３３を締めることで、ロングボルト３１が固定金具３に固定される。次に、ロングボルト３１を係合アームのアームエンド５２に、図３に示すように挿入して、３つのナット３３のうち、右側２つのナット３３で、ロングボルト３１をアームエンド５２に固定する。その際、２つのナット３３を締める位置によって、固定金具３の左右位置を調整できる。ロックボルト２２は、電子錠２の側面中央の後方側に位置しているが、前方に引き出したい場合、電子錠２を前方にスライドさせ、固定ネジ３２でネジ着する。このような調整でも不足の場合、電子錠２を上下逆にして装着しスライドさせるなら、ロックボルト２２をさらに前方に位置させることができる。
【００２６】
図３は、外開きドアにドアロック装置１００が取り付けられた場合の正面図である。外開きドアは、ドア受け６１に、係合突起９が取り付けられ、ドア６０の内側に係合アーム８が取り付けられる。この係合アーム８に固定金具３で電子錠２が装着される。係合アーム８の右端に、アームエンド５２が設けられ、Ｕ形ボルト５３と蝶ナット５４で固定される。この位置を基準に、アームエンド５２に通されたロングボルト３１のナット３３の位置で、固定金具３と電子錠２の左右の位置を調節する。例えば、ロックボルト２２が、突出状態で係合突起９に当接するように調整される。なお、Ｕ形ボルト５３の替わりに、Ｌ形ボルトを２本使用して係合アーム８の右端の溝に引っ掛けるようにしてもよい。
【００２７】
図４は、外開きドアにドアロック装置１００が取り付けられた場合の平面図である。ロックボルト２２の位置は、電子錠２を前後に動かして、固定ネジ３２で固定金具３に固定することでも調整される。なお、固定金具３には上下の位置を調整する機構は設けていない。係合アーム８の形状によって、ロックボルト２２が係合突起９に当接するように、ロックボルト２２は上下方向にやや幅広な形としている。
【００２８】
図５は、内開きドアに取り付けられるドアロック装置１００の斜視図である。図５に示すように、ドアロック装置１００は、無線送信回路または赤外線送信回路を有し操作ボタンのある電子キー１と、電子錠２と、電子錠２をドア内側に固定する固定金具３と、停止金具５からなる。ロングボルト３１は使用されない。電子錠２には、アンテナ１２と受信回路１１のある制御部１０と、ソレノイドまたはモータ２１で動くロックボルト２２からなる駆動部２０と、バッテリー４を含む。ロックボルト２２は、施錠され突出状態でドアが開かれると、図９に示す停止金具５０に当接されるように構成される。ドアロック装置１００は、内開きドアに装着される。内開きドアでは、ドアの内側には係合突起９が取り付けられるので、ここに固定金具を装着するため、係合突起用通孔３５が設けられる。ロックボルト２２は、電子錠２の側面中央の後方側に位置しているが、前方に引き出したい場合、電子錠２を前方にスライドさせ、固定ネジ３２でネジ着する。電子錠２を上下逆にして装着しスライドさせるなら、ロックボルト２２をさらに前方に位置させることができる。
【００２９】
図６は、内開きドアにドアロック装置１００が取り付けられた場合の正面図である。内開きドアの場合は、ドア受け６１に、係合アーム８が取り付けられ、ドア６０の内側に係合突起９が取り付けられる。この係合突起９に固定金具３により電子錠２が装着される。
【００３０】
図７は、内開きドアにドアロック装置１００が取り付けられた場合の平面図である。係合突起９は係合突起用通孔３５に挿入され、固定金具３にＵ形金具３６により固定される。また、ドア６０が内側に開いたとき、ロックボルト２２が突起板３８に当接するように、停止金具５０が係合アーム８に一点鎖線で示すように取り付けられる。
【００３１】
図８は、内開きドア用の固定金具３の構成図である。固定金具３は、内金具５５、中金具５６、外金具５７で構成される。内金具５５のドア６０と対向する面にはマグネットまたは粘着性のゴムマットまたは両面接合テープなどで構成される接着部材３４が設けられ、取り付けを容易としている。内金具５５の上面と下面には長孔を設けたので、中金具５６との前後方向の取り付け幅が調整できる。係合突起用通孔３５に挿入された係合突起９は、Ｕ形金具３６で固定される。中金具５６には、外金具５７の裏面に設けられた４つの突起（図示せず）が挿入され、位置調整可能な連なった複数の通孔が設けられる。これにより。左右方向に固定金具３と電子錠２を動かせる。係合突起９の形状が左右に長い場合は、Ｕ形金具３６を２つ使用して固定してもよい。固定金具３は、外開きドア用と内開きドア用で、若干の相違はあるものの共通の部品で構成できる。その場合、外開きドアにおけるロングボルト３１は固定金具３を固定するためにのみ使用し、左右位置調整は、中金具５６の複数の通孔と外金具５７の突起で行なってもよい。
【００３２】
図９は、係合アーム８に取り付けられる停止金具５０の斜視図である。停止金具５０は、前方に突起板３８が設けられた箱形の金具である。図９に示すように係合アーム８を左右の孔に通して取り付ける。係合アーム８は１８０度の回動が可能なので、これを動かないようにするため、上下２本のロングボルト３１と蝶ナット５４により停止金具５０を右側方向に引っ張り、一方、アームエンド５２に取り付けた２本のロングボルト３１と蝶ナット５４により停止金具５０を左側方向に引っ張っている。アームエンド５２は、係合アーム８の先端にＵ形ボルト５３と蝶ナット５４で固定される。また、突起板３８の取り付け位置は、ネジ着させる通孔の位置で調整できる。
【００３３】
図１０、図１１に、外開きドアにおいて、チェーンタイプのドアガードが取り付けられた場合の固定金具を示す。図１０は内金具５５で、中央にチェーン掛け金具用通孔３９が設けられる。図１１は、チェーン掛け金具７０への内金具５５の取り付け図である。２組の固定ネジ３２とワッシャ５８とナット３３で、チェーン掛け金具用通孔３９を介して、チェーン掛け金具７０と内金具５５を固定している。外開きドアでチェーン掛け金具７０に固定金具３を使用して電子錠２を取り付けた場合、ロックボルト２２は、突出状態でドア受け６１に当接するように取り付けられる。
【００３４】
図１２は、チェーンホルダに装着される停止金具５１の斜視図である。内開きドアでチェーン掛け金具７０が使用されている場合、ドア受け６１側に停止金具５０を取り付ける必要がある。この場合、チェーンホルダ（図示せず）に停止金具５０が取り付けられる。チェーンホルダ用通孔３７には、ボタン形状のチェーンホルダが差し込まれる。停止金具５１を上下に動かして、適切なる位置に調整し、Ｕ形ボルトと蝶ナットで固定する。そして、突起板３８にロックボルト２２が当接されるようにする。
【００３５】
図１３は、係合アームまたは係合突起の代わりとなる連結金具の斜視図である。連結金具４５は、係合アーム８または係合突起９をネジ回しドライバで取り外して、取り付けるようにした金具である。内開きドアの場合、固定金具３は図６に示すように係合突起９に取り付けられるが、これに対して、連結金具４５は、図１３左端に係合突起９のネジ孔に合わせた４つのネジ孔を設けて、内金具５５との連結をより堅固にできるようにした。外開きドアの場合、固定金具３は図３に示すように係合アーム８に取り付けられるが、これに対して、連結金具４５は、図１３右端に係合アーム８のネジ孔に合わせた３つのネジ孔を設けて、内金具５５との連結をより堅固にできるようにした。すなわち、ドアには図１３の連結金具４５を１８０度の反対向きにして取り付ければよい。
【００３６】
図１４は、係合アームの代わりとなる停止金具の斜視図である。図１４に示すように、停止金具４７は、内開きドアにおいて、係合アーム８を取り外して使用する。図１４右側の停止金具４７の３個のネジ孔は、ドア受け６１に取り付けられた係合アーム８を取り外して、その代わりに取りけるから、係合アーム８のドア受け取り付けネジ孔の位置に合わせてある。また、停止金具４７には、連なった複数の通孔が設けられ、突起板３８の裏側にある突起（図示せず）を挿入してスライドし、この突起の表側のネジ（図示あり）を回すことで、突起板３８の位置を調整できる。図９に示すような、係合アーム８に停止金具５０を取り付ける場合より、安定した堅固な取り付けができる。
【実施例２】
【００３７】
図１５は、本発明による第２の実施例で、ドアロック装置２００の斜視図である。ドアロック装置２００は、無線送信回路または赤外線送信回路を有し操作ボタンのある電子キー１と、電子錠２からなる。ドアロック装置２００は、係合アーム８を部屋の内側に限らず、外側からも無線または赤外線によって動かすようにしたものである。
【００３８】
電子錠２は、アンテナ１２と受信回路１１のある制御部１０と、モータ６を有する駆動部、バッテリー４を含んで構成される。モータ６の軸には柄８１が取り付けられ、モータ６の回転方向に合わせて、時計回り回転と反時計回り回転が可能である。柄８１の先にはグリッパ８０が設けられる。
【００３９】
グリッパ８０は回動接点８２を介して柄８１に取り付けられる。この回動接点８２は、電子錠のモータ６の軸と、係合アーム８の軸とは、取り付け状況によっては必ずしも一致しないので、係合アーム８の回動前と回動後では、グリッパ８０の向きが変わるからである。さらに、グリッパ８０の内側にはローラ８３が設けられ、係合アーム８の側面上のスライドを容易にしている。なお、電子錠２の後方側面と、右側面には接着部材３４が設けられる。接着部材３４を、例えば、マグネットで構成すれば、金属製のドア６０またはドア受け６１への装着が容易である。接着部材３４は、粘着性のあるゴムマットや両面接合テープで構成してもよい。これにより木製のドアなどに容易に装着できる。粘着性の素材は、洗うと再び粘着力が回復できるものが好ましい。電子キー１からは、モータ６をどちらの方向に回転させるかの指示も出せるので、内開きドア、外開きドアのいずれにも取り付け可能である。
【００４０】
図１６は、ドアロック装置２００が、内開きドアに取り付けられた場合の平面図である。内開きドアでは、ドア受け６１の内側に係合アーム８が取り付けられるが、その下側に、ドアロック装置２００が取り付けられる。電子キー１から施錠の指示が出ると、反時計回りにモータ６が回転し、係合アーム８を約９０度回動させる。モータ６の馬力は小さなものでよい。所定の回転が終了した時点ではモータ６の軸はどちらの向きにも回転可能なものとする。係合アーム８と係合突起９が係合した状態でドア６０が半開きにされる場合、その力により、係合アーム８は、時計回りに動ける必要がある。
【００４１】
図１７は、ドアロック装置２００が、外開きドアに取り付けられた場合の平面図である。外開きドアでは、ドア６０の内側に係合アーム８が取り付けられるが、その下側に、ドアロック装置２００が取り付けられる。電子キー１から施錠の指示が出ると、時計回りにモータ６が回転し、係合アーム８を約９０度回動させる。モータ６の馬力は小さなものでよい。所定の回転が終了した時点ではモータ６の軸は固定されず、どちらの向きにも回転可能なものとする。係合アーム８と係合突起９が係合した状態でドア６０が半開きにされる場合、その力により、係合アーム８は、反時計回りに戻されるからである。
【００４２】
図１７の引出円の中に示すように、グリッパ８０は、係合アーム８の下側の縁をつかむように取り付けられる。係合アーム８の中央部分は、係合突起９が行き来するので、これに接触しないように取り付けられる。なお、グリッパ８０が係合突起９に接触し、係合アームにグリッパ８０を挟む領域がないような場合は、係合アーム８の先端にアームエンド５２を付け、これにグリッパ８０がつかめるレール部材を設けてもよい。
【産業上の利用可能性】
【００４３】
本発明は、工事なしで簡単に取り付けできるドアロック装置であるから、ドアを２重に施錠したい場合などに好適である。
【図面の簡単な説明】
【００４４】
【図１】本発明によるドアロック装置の構成図である。（実施例１）
【図２】本発明による外開きドア用のドアロック装置の斜視図である。
【図３】ドアロック装置が外開きドアに取り付けられる場合の正面図である。
【図４】ドアロック装置が外開きドアに取り付けられる場合の平面図である。
【図５】本発明による内開きドア用のドアロック装置の斜視図である。
【図６】ドアロック装置が内開きドアに取り付けられる場合の正面図である。
【図７】ドアロック装置が内開きドアに取り付けられる場合の平面図である。
【図８】内開きドア用の固定金具の構成図である。
【図９】内開きドア用の係合アームに取り付けられる停止金具の斜視図である。
【図１０】外開きドアで、チェーン掛け金具に取り付けられる内金具の斜視図である。
【図１１】外開きドアで、チェーン掛け金具に取り付けられる内金具の取り付け図である。
【図１２】内開きドアで、チェーンホルダに取り付けられる停止金具の斜視図である。
【図１３】係合アームまたは係合突起を取り外して、代わりに使用する連結金具の斜視図である。
【図１４】係合アームを取り外して、代わりに使用する停止金具の斜視図である。
【図１５】本発明によるドアロック装置の斜視図である。（実施例２）
【図１６】本発明図によるドアロック装置が内開きドアに取り付けられた場合の平面図である。（実施例２）
【図１７】本発明図によるドアロック装置が外開きドアに取り付けられた場合の平面図である。（実施例２）
【図１８】一般に使用されるドアガードの斜視図である。
【図１９】一般の内開きドアの平面図である。
【図２０】一般の外開きドアの平面図である。
【符号の説明】
【００４５】
１    電子キー
２    電子錠
３    固定金具
４    バッテリー
５    停止金具
６    モータ
８    係合アーム
９    係合突起
１０    制御部
１１    受信回路
１２    アンテナ
２０    駆動部
２１    ソレノイドまたはモータ
２２    ロックボルト
３１    ロングボルト
３２    固定ネジ
３３    ナット
３４    接着部材
３５    係合突起用通孔
３６    Ｕ形金具
３７    チェーンホルダ用通孔
３８    突起板
３９    チェーン掛け金具用通孔
４０    貫通孔
４５    連結金具
４７    停止金具
５０、５１    停止金具
５２    アームエンド
５３    Ｕ形ボルト
５４    蝶ナット
５５    内金具
５６    中金具
５７    外金具
５８    ワッシャ
６０    ドア
６１    ドア受け
７０    チェーン掛け金具
８０    グリッパ
８１    柄
８２    回動接点
８３    ローラ
１００    ロックボルトを使用したドアロック装置
２００    係合アームを回動させるタイプのドアロック装置
【図１】
2006241856.tif 000003
【図２】
2006241856.tif 000004
【図３】
2006241856.tif 000005
【図４】
2006241856.tif 000006
【図５】
2006241856.tif 000007
【図６】
2006241856.tif 000008
【図７】
2006241856.tif 000009
【図８】
2006241856.tif 000010
【図９】
2006241856.tif 000011
【図１０】
2006241856.tif 000012
【図１１】
2006241856.tif 000013
【図１２】
2006241856.tif 000014
【図１３】
2006241856.tif 000015
【図１４】
2006241856.tif 000016
【図１５】
2006241856.tif 000017
【図１６】
2006241856.tif 000018
【図１７】
2006241856.tif 000019
【図１８】
2006241856.tif 000020
【図１９】
2006241856.tif 000021
【図２０】
2006241856.tif 000022